(57)【要約】【課題】  表示指針の発光効率を悪化させることなく、表示指針を少なくともこの長さ方向へ全体的に均一に発光させることができるメータの表示指針を提供する。【解決手段】  メータの表示指針１は、根元部分の下面1cの入光部1c-1から上方に入ってきた光を先端部分側へ全反射するように傾斜した第１反射面1aと、入って来た光を上方へ反射・拡散する拡散反射面1c-2と、上面1bの幅方向の少なくとも一部に第１反射面1a側から先端側部分側までの長さ方向に沿って複数の凹凸が形成されて第１反射面1aからの光を凸凹がない上面の場合に比べて拡散反射面1c-2の根元側部分寄りへ向けて反射させる第２反射面1dと、を備える。【選択図】図３
2013160640.tif 000002
【特許請求の範囲】
【請求項１】
文字盤上を、回転軸を中心に回動するメータの表示指針であって、
前記回転軸の回転中心に近い根元部分の、前記文字盤側を下方向としたときの下面に位置する入光部から上方に向かって入ってきた光を先端部分側へ全反射するように傾斜した第１反射面と、
前記入光部より指針先端側の下面に位置し、上方から受けた光を上方へ反射・拡散する拡散反射面と、
指針根元側から先端側に行くにしたがって前記文字盤に近づく方向に傾斜する上面と、
上面の幅方向の少なくとも一部に前記第１反射面側から前記先端側部分側までの長さ方向に沿って複数の凹凸が形成されて、前記第１反射面からの光を前記凸凹がない場合の上面での反射に比べて前記根元部分寄りの前記拡散反射面に向けて反射させる第２反射面と、
を備えたことを特徴とするメータの表示指針。
【請求項２】
請求項１に記載のメータの表示指針において、
前記第２反射面は、前記表示指針の上面の幅方向の両方の外側に配置されて前記第２反射面のない上面を挟む、
ことを特徴とするメータの表示指針。
【請求項３】
請求項２に記載のメータの表示指針において、
前記第２反射面は、該第２反射面の上方と側方とが前記光を透過させないカバーで覆われている、
ことを特徴とするメータの表示指針。
【請求項４】
請求項１ないし請求項３のうちのいずれか１項に記載のメータの表示指針において、
前記第２反射面は、前記表示指針の上面の幅方向の両方の外側に配置されて前記表示指針の横断面上でハ字に配置され、前記第２反射面で反射した光を前記下面の幅方向中央位置側に向けて集中させるようにした、
ことを特徴とするメータの表示指針。
【請求項５】
請求項１ないし請求項４のうちの１項に記載のメータの表示指針において、
前記表示指針は、傾斜した２つの側面を有し、該２つの側面の間隔が前記上面から前記下面に向かうに従うにしたがって小さくなり、前記２つの側面の内側で反射した光が前記下面の中央位置側に集中するようにした、
ことを特徴とするメータの表示指針。
【発明の詳細な説明】
【技術分野】
【０００１】
本発明は、光源から導いた光を本体内で反射させて根元部分から先端部分まで光らせるようにした、メータの表示指針に関する。
【背景技術】
【０００２】
従来、メータの表示指針としては、特許文献１に記載のものが知られている。
このメータの表示指針は、この根元部分の下面へ光源から上方に投射された光が入射され、根元部分の上面側に設けられ所定角度傾斜させた反射面で入射光を先端部分側の上面へ向けて全反射させ、反射面より先端部分側の上面でさらに下面へ向けて反射させる。下面は、粗面あるいは蛍光塗料の塗布や他の光拡散材を混入した合成樹脂層で形成した乱反射面とされ、ここで光を上方へ反射させて上面から表示指針の外部に出て行くようにすることで、ユーザーに表示指針が全体的に光って見えるようにしている。
【先行技術文献】
【特許文献】
【０００３】
【特許文献１】特開平９−１０１１８２号公報
【発明の概要】
【発明が解決しようとする課題】
【０００４】
しかしながら、上記従来のメータの表示指針には以下に説明するような問題がある。
すなわち、上記反射面の所定角度は、表示指針の外部にある空気と表示指針を構成する樹脂との屈折率の関係から、入射光が臨界角より大きな角度で反射面に到達するようにして、下面からの光を先端部分側へ全反射させるに設定している。
この場合、反射面で反射された光は、表示指針の根元部分側から先端部分側へ向かって進み、一度、表示指針の根元部分より先端部分側の上面に当たってここで下面に向かうことになるが、上記所定角度の設定の関係上、表示指針の根元部分に近い底面部分に向かう光は少なくなる。
このため、表示指針は根元部分側が先端部分側に比べて暗く、表示指針の長さ方向に全体的に不均一の明るさとなって、照明品質が悪くなってしまうといった問題がある。
一方、この問題をなくすため、上記反射面の所定角度をより傾斜させると、光源からの入射光を表示指針底面の根元部分側に向けて反射させることが可能となるものの、この場合、入射した光は臨界角以下で反射面に到達するので、光の大部分は表示指針の外部の空気中に透過してしまい、表示指針の発光効率が悪化してしまうことになる。
【０００５】
本発明は、上記問題に着目してなされたもので、その目的とするところは、表示指針の発光効率を悪化させることなく、表示指針を少なくともこの長さ方向へ全体的に均一に発光させることができるメータの表示指針を提供することにある。
【課題を解決するための手段】
【０００６】
この目的のため、請求項１に記載の本発明によるメータの表示指針は、
文字盤上を、回転軸を中心に回動するメータの表示指針であって、
回転軸の回転中心に近い根元部分の、文字盤側を下方向としたときの下面に位置する入光部から上方に向かって入ってきた光を先端部分側へ全反射するように傾斜した第１反射面と、
入光部より指針先端側の下面に位置し、上方から受けた光を上方へ反射・拡散する拡散反射面と、
指針根元側から先端側に行くにしたがって文字盤に近づく方向に傾斜する上面と、
上面の幅方向の少なくとも一部に第１反射面側から先端側部分側までの長さ方向に沿って複数の凹凸が形成されて、第１反射面からの光を凸凹がない場合の上面での反射に比べて根元部分寄りの拡散反射面に向けて反射させる第２反射面と、
を備えたことを特徴とする。
【０００７】
請求項２に記載の本発明によるメータの表示指針は、
請求項１に記載のメータの表示指針において、
第２反射面が、表示指針の上面の幅方向の両方の外側に配置されて第２反射面のない上面を挟む、
ことを特徴とする。
【０００８】
請求項３に記載の本発明によるメータの表示指針は、
請求項２に記載のメータの表示指針において、
第２反射面が、第２反射面の上方と側方とが光を透過させないカバーで覆われている、
ことを特徴とする。
【０００９】
請求項４に記載の本発明によるメータの表示指針は、
請求項１ないし請求項３のうちのいずれか１項に記載のメータの表示指針において、
第２反射面が、表示指針の上面の幅方向の両方の外側に配置されて表示指針の横断面上でハ字に配置され、第２反射面で反射した光を下面の幅方向中央位置側に向けて集中させるようにした、
ことを特徴とする。
【００１０】
請求項５に記載の本発明によるメータの表示指針は、
請求項１ないし請求項４のうちの１項に記載のメータの表示指針において、
表示指針が、傾斜した２つの側面を有し、２つの側面の間隔が上面から下面に向かうに従うにしたがって小さくなり、２つの側面の内側で反射した光が下面の中央位置側に集中するようにした、
ことを特徴とする。
【発明の効果】
【００１１】
請求項１に記載の本発明のメータの表示指針にあっては、第２反射面で第１反射面からの光を下面のより根元側部分側となる位置へ向けて反射するようにし、この光を下面の拡散反射面で上方へ反射・拡散させるようにしたので、表示指針の発光効率を悪化させることなく、表示指針をこの長さ方向へ全体的に均一に発光させることができ、この結果、照明品質を向上させることができる。
【００１２】
請求項２に記載の本発明のメータの表示指針にあっては、第２反射面が表示指針の上面の幅方向の両方の外側に配置されて第２反射面のない上面を挟むようにしたので、ユーザーが少なくとも指針の第２反射面がない上面部分に沿って根元部分側から先端部分側まで全体的に均一、かつ明瞭に表示指針の表示位置を視認することができる。
【００１３】
請求項３に記載の本発明のメータの表示指針にあっては、第２反射面の上方と側方から外部に出る光をカバーで遮断し、カバーで覆われていない部分のみから外部に光が出るようにしたので、表示品質を向上させることができる。
【００１４】
請求項４に記載の本発明のメータの表示指針にあっては、第２反射面を表示指針の上面の幅方向の両方の外側ｎ位置にハ字状に配置し、ここで反射する光を下面の中央位置側に集中させるようにしたので、表示指針の発光効率を向上させることができる。
【００１５】
請求項５に記載の本発明のメータの表示指針にあっては、表示指針の傾斜した両側面の間隔が上面から下面に向かうにしたがって小さくなり、両側面の内側で反射する光を下面の中央位置側に集中させるようにしたので、表示指針の発光効率を向上させることができる。
【図面の簡単な説明】
【００１６】
【図１】本発明の概念を説明するための、メータの表示指針およびその内部での光の経路を示した側面図である。
【図２】図１中の一点鎖線Ａで囲った部分の拡大図である。
【図３】（ａ）は本発明の実施例１のメータの表示指針およびその内部での光の経路を示した側面図、（ｂ）は(a)の3B−3B線に沿って切断して矢印方向にみた後面断面図である。
【図４】（ａ）は本発明の実施例２のメータの表示指針およびその内部での光の経路を示した側面図、（ｂ）は(a)の4B−4B線に沿って切断して矢印方向にみた後面断面図である。
【図５】（ａ）は本発明の実施例３のメータの表示指針およびその内部での光の経路を示した側面図、（ｂ）は(a)の5B−5B線に沿って切断して矢印方向にみた後面断面図である。
【図６】（ａ）は本発明の実施例４のメータの表示指針およびその内部での光の経路を示した側面図、（ｂ）は(a)の6B−6B線に沿って切断して矢印方向にみた後面断面図である。
【図７】（ａ）は本発明の実施例５のメータの表示指針およびその内部での光の経路を示した側面図、（ｂ）は(a)の7B−7B線に沿って切断して矢印方向にみた後面断面図である。
【発明を実施するための最良の形態】
【００１７】
まず、本発明のメータの表示指針の基本概念を図１およびその一部（図１中の一点鎖線Ａで囲んだ部分）を拡大して示した図２を用いて説明する。なお、これらの図中において、光の経路の代表的ないくつかを矢印Lで示してある。
【００１８】
図１および図２に示すように、表示指針Ｎは、文字や記号が表側面（図１中で上側）に記載されたメータ・パネルＰの上方に回動可能に設置され、その回動位置と文字、記号との位置関係に基づいて表示内容をユーザーが読み取ることができるようにしてある。メータ・パネルＰは、本発明の文字盤に相当する。
すなわち、たとえば車両用のスピード・メータであれば、表示指針と車速を表す数字との位置関係でそのときの車速がドライバーに分かるようになっている。
【００１９】
表示指針Ｎは、図示しない駆動装置で表示指針Ｎの根元部分に設けた回転軸を中心に回動させられるように構成されている。
表示指針Ｎの根元部分NAに相当するメータ・パネルＰの下部には、たとえばＬＥＤ（Light Emitting Diode）からなる光源が配置されて上方へ向けて光を投射するようにしてある。
【００２０】
表示指針Nは、アクリル、ポリカーボネートなどの光透過性の合成樹脂で形成され、根元側部分NAから先端側部分NBまでまっすぐに伸ばされた細長い針状の形状を有する。
図１に示すように、表示指針Nの根元側部分NAの上面側は、所定角度で傾斜させられた第１反射面Naが形成されている。
ここで、第１反射面Naは、表示指針Nの根元部分NAの下側面NcにLEDから投射された光が入ってきて表示指針Nの内部をメータ・パネルPに対し垂直方向上方に通り、第１反射面Naに当たったとき、この入射角が臨界角（たとえばポリカーボネートでは39.12°）より小さくなるように所定角度を設定して、この入射光が第１反射面Naで全反射され、表示指針Nの第１反射面Naより先端部分NB側の上面Nbへ向けて表示指針Nの内部を進むようにしてある。
【００２１】
表示指針Nの第１反射面Naより先端部分NB側の上面Nbには、この幅方向の少なくとも一部に第１反射面Naで全反射されて来た光を表示指針Nの下面Nc全体に向けて反射させる第２反射面Ndが形成されている。
第２反射面Ndは、図２にその一部を拡大して示すように、微細な多くの凹凸、すなわち、斜辺が入射光を下側でかつ凹凸がない上面での反射に比べて根元部分NA寄り方向に向かって反射する三角形状の縦断面を上面Nb上に複数形成することで、構成している。
【００２２】
一方、表示指針Nの根元部分NAより先端部分NB側にある下面Ncは、図２に示すように入射した光を上方の各方向へ反射して拡散させる拡散面で構成している。
拡散面は、粗面あるいは蛍光塗料の塗布や他の光拡散材を混入した合成樹脂層で形成した乱反射面で構成する。
【００２３】
したがって、本発明のメータの表示指針Nでは、LEDから上方に投射された光は、その上方で相対する表示指針Aの根元部分NAの下面Ncからこの内部に入ってそのまま上方に進み、第１反射面Naに当たる。このときの第１反射面Naでの入射角度は臨界角より小さいのでここで全反射され、表示指針Nの第１反射面Naより先端部分NB側の上面Nbに当たる。
この上面Nbには表示指針Nの幅方向の少なくとも一部に第２反射面Ndが形成されているので、この第２反射面Ndに当たった第１反射面Naからの光は、下方かつ、第２反射面Ndが形成されていない上面での反射に比べてより根元部分NA側へ寄った先端部分NB側へ向けて反射されるが、この場合、第２反射面Ndが表示指針Nの長さ方向のほぼすべてにわたって形成されているため、下面Ncの全体部分に向かって広がる。
【００２４】
第２反射面Ndから反射され、下面Ncのほぼ全体部分に当たった光は、ここで反射されて上方のいろいろな方向に向けて拡散される。
この拡散された光は、上面Nbへ向かい、ここから一部が表示指針Nの外部へ出る。残りは第２反射面Ndと下面Ncとの間を往復して上面Nbから表示指針Nの外部へ出ていく。
この結果、表示指針Nは、この根元部分NAから先端部分NBまでその長さ方向にわたって全体的に均一に発光することとなり、表示の証明品質を向上させることができる。しかも、第１反射面Naでは全反射させるので、表示指針Nの発光効率も悪化させることはない。
なお、第２反射面Ndを表示指針Nの幅方向に一部、かつ表示指針Nの長手方向に沿って形成するようにすれば、第２反射面Ndが形成されていない上面Nbから下面Ncで反射された光が外部へ出やすくなり、この部分により表示指針Nの長手方向に沿って、より明るく、全体的に均一に発光させることができるようになる。
【００２５】
以下、本発明の実施の形態を、図面に示す実施例に基づき詳細に説明する。
なお、以下の実施例では、文字盤（図１に示すメータ・パネルP）は図示を省略している。
【実施例１】
【００２６】
まず、実施例１のメータの表示指針の全体構成を説明する。
この実施例１のメータの表示指針１を、図３に示す。図３（ａ）は、表示指針１の断面と表示指針１の内部での光の進路Lの代表的な一部を示す断面側面図であり、図３（ｂ）は、図３（ａ）の矢印3B−3B線に沿って切断してみた後面断面図である。
【００２７】
表示指針１は、光透過性の材料で形成され、この根元部分の上面側に所定傾斜角度を有する第１反射面1aと、この第１反射面1aから表示指針１の先端部分まで延びる上面1bと、図示しないメータ・パネルに平行なフラットな下面1cと、上面1bの幅方向両側端側部分にそれぞれ形成されて表示指針１の長手方向に延ばされた第２反射面1dと、左右の両側面1eと、これらの第２反射面1dの上面側および表示指針１の両側面1eを覆う、光を透過しないカバー３と、を備えている。
なお、表示指針１の両側面1eは、互いに平行で、かつ上面1bに対し垂直になるように形成されている。
【００２８】
このように構成した表示指針１にあっては、LEDなどの光源２から上方に投射された光は、図中、光の進路Lで示すように、表示指針１の根元部分(回転軸に相当)近くの下面に設けた入光部1c-1から表示指針１の内部に入る。この光は、表示指針１の内部をさらに上方に進み第１反射面1aに当たるが、この入射角度が臨界角より大きいので全反射して表示指針１の先端部分側の上面1bへ向かう。
【００２９】
表示指針１の上面1bに向かった光は、一部が上面1bの中央の鏡面部分1b'に当たり反射して表示指針１の根元部分よりその先端側の部分の下面1cに形成した拡散反射面1c-2へ向かい、残りが表示指針１の幅方向の両側端側にある第２反射面1dに当たって拡散反射面1c-2へ向かう。この場合、第２反射面1dでの反射は、鏡面部分1b'での反射とは異なり、第２反射面1dの微細な多くの凹凸を形成する斜面や垂直面により、上面1bでの反射に比べて根元部分側に向けて反射される。
【００３０】
したがって、上面1bの鏡面部分1b'と第２反射面1dとで反射した光が表示指針１の拡散反射面1c-2には根元部分近くから先端部分までまんべんなく全体的に当たることになる。これらの光は、拡散反射面1c-2で上方へ乱反射されて拡散され、上面1bへ向かう。
【００３１】
このように拡散反射面1c-2で反射、拡散された光は、この一部が上面1bの鏡面部分1b'から表示指針１の外部に出て、表示指針１の上面1bの鏡面部分1b'がこの根元部分から先端部分までの長さ方向にほぼ均一に発光し、ユーザーに表示指針１の位置を認識させる。
一方、拡散反射面1c-2で反射、拡散された光の残りは、第２反射面1dに当たり第２反射面1dと拡散反射面1c-2との間を往復し、その一部が上面1bの鏡面部分1b'から外部に出る。この場合、第２反射面1dからも一部の光が外部に出るが、この光は第２反射面1dの上方および側方がカバー３で覆われているため、外部へ出ることはない。
【００３２】
以上の説明から分かるように、実施例１の表示指針１にあっては、第２反射面1dにて反射する光を、凹凸がない場合の上面（鏡面部分1b'と同じ）での反射に比べて拡散反射面1c-2の根元部分寄りの方向へ向け、ここで上方へ乱反射させるので、その上面1bの鏡面部分1b'から外部へ出る光は、表示指針１の根元部分近くから先端部分までの長さ方向に沿って、上面1bの鏡面部分1b'（本実施例ではユーザーの視認エリアとなる部分）を全体的に均一に光らせることとなる。
一方、第２反射面1dから外部へ出る光は、カバー３にて遮光されるので、ユーザーからは見えない。
この結果、実施例１の表示指針１の照明品質が向上する。
【００３３】
以下に、本発明に係る他の実施例について説明する。この他の実施例の説明にあたっては、実施例１と同様の構成部分については図示を省略し、もしくは同一の符号を付けて（あるいは変えて）その説明を省略し、相違点についてのみ説明する。
【実施例２】
【００３４】
次に、実施例２のメータの表示指針について図４に基づき説明する。
図４（ａ）は、表示指針２１の断面と表示指針２１の内部での光の進路の一部を示す断面側面図であり、図４（ｂ）は、図４（ａ）の矢印4B−4B線に沿って切断してみた後面断面図である。
【００３５】
同図に示すように、実施例２の表示指針２１が実施例１の表示指針１と異なる点は、実施例１の表示指針１では表示指針１の上面１ｂが、幅方向中央位置にある鏡面部分1b'とこの両側面側にある第２反射面1dとから構成されていたのに対し、実施例２の表示指針２１の上面21aがすべて第２反射面21dで形成されている点、および実施例１のカバー３を有していない点である。
その他の構成は、実施例１と同じである。
ただし、実施例１の第１反射面1aは実施例２では第１反射面21aとし、実施例１の下面1c、入光部1c-1、拡散反射面1c-2は実施例２ではそれぞれ下面21c、入光部21c-1、拡散反射面21c-2とし、実施例１の側面1eは実施例２では側面21eとしてある。
【００３６】
このように構成した表示指針２１にあっては、LEDなどの光源２から上方に投射された光は、図中、光の進路Lで示すように、表示指針２１の根元部分の下面の入光部21c-1から表示指針２１の内部に入る。この光は、上方に進み第１反射面21aに当たるが、この入射角度が臨界角より大きいのでここで全反射して表示指針２１の先端部分側の上面21bへ向かう。
【００３７】
表示指針２１の上面21bに向かった光は、上面21bに全面形成した第２反射面1dに当たって下面21cの拡散反射面21c-2へ向かうが、実施例１の上面1bの鏡面部分1b'での反射に比べて、第２反射面21dの斜面や垂直面の存在により、根元部分寄りの拡散反射面21c-2へ向けて反射される。
【００３８】
したがって、上面21bの第２反射面21dで反射した光が表示指針２１の拡散反射面21c-2には根元部分近くから先端部分までまんべんなく全体的に当たることになる。これらの光は、拡散反射面21c-2で上方へ乱反射されて拡散され、上方へ向かう。
【００３９】
そして、拡散反射面21c-2で反射、拡散された光は、第２反射面21dに当たって第２反射面21dと拡散反射面21c-2との間を往復し、その一部が第２反射面21dを形成した上面21bから外部に出て発光する。
【００４０】
以上の説明から分かるように、実施例２のメータの表示指針２１にあっては、第２反射面21dにて反射する光を拡散反射面21c-2の根元部分寄りの方向へ向けるので、第２反射面21dを形成した上面21bから外部へ出る光は、表示指針２１の根元部分近くから先端部分までの長さ方向に沿って表示指針２１の上面21bを全体的に均一に光らせることとなる。
この結果、実施例２の表示指針２１の照明品質が向上する。
なお、実施例２では第２反射面21dを構成する凹凸のエッジの箇所で実施例１に比べて若干照明品質が劣化するものの、実施例１に比べて安価に製造することが可能となる。
【実施例３】
【００４１】
次に、実施例３のメータの表示指針について図５に基づき説明する。
図５（ａ）は、表示指針３１の断面と表示指針３１の内部での光の進路の一部を示す断面側面図であり、図５（ｂ）は、図５（ａ）の矢印5B−5B線に沿って切断してみた後面断面図である。
【００４２】
同図に示すように、実施例３の表示指針３１が実施例１の表示指針１と異なる点は、実施例３の表示指針３１では実施例１のカバー３を有していない点である。
その他の構成は実施例１と同じである。
ただし、実施例１の第１反射面1aは実施例３では第１反射面31aとし、実施例１の上面1bは実施例３では上面31bとし、実施例１の下面1c、入光部1c-1、拡散反射面1c-2は実施例３ではそれぞれ下面31c、入光部31c-1、拡散反射面31c-2とし、実施例１の第２反射面1dは実施例３では第２反射面31dとし、実施例１の側面1eは実施例３では側面31eとしてある。
【００４３】
このように構成した表示指針３１にあっては、LEDなどの光源２から上方に投射された光は、実施例１と同様に、第１反射面31aで全反射されて上面31bの幅方向中央位置に形成した鏡面部分31b'とその幅方向両側端側にそれぞれ形成した第２反射面31dとで下面31cに形成した拡散反射面31c-2へ向けられる。
【００４４】
拡散反射面31c-2に当たってここで上方へ反射、拡散された光は、その一部が上面31bの鏡面部分31b'を通じて大部分が表示指針３１の外部に出て光る。また、残りが第２反射面31dと拡散反射面31c-2との間を往復し、上面31bの鏡面部分31b'および第２反射面31dから外部へ出て光る。
【００４５】
以上の説明から分かるように、実施例３のメータの表示指針３１にあっては、第２反射面31dにて反射する光を拡散反射面31c-2の根元部分寄りの方向へ向けて下面31Cで上方へ乱反射させるので、上面31bの鏡面部分31b'と第２反射面31dから外部へ出る光は、表示指針３１の根元部分近くから先端部分までの長さ方向に沿って表示指針３１の上面31bを全体的に均一に光らせることとなる。
この結果、実施例３の表示指針３１の照明品質が向上する。
なお、この場合、実施例３では第２反射面31dの箇所で上面31bの鏡面部分31b'より弱く光るので、実施例１に比べて若干照明品質が劣化するものの、実施例１のカバー３が不要となり、安価に製造することが可能となる。
【実施例４】
【００４６】
次に、実施例４のメータの表示指針について図６に基づき説明する。
図６（ａ）は、表示指針４１の断面と表示指針４１の内部での光の進路の一部を示す断面側面図であり、図６（ｂ）は、図６（ａ）の矢印6B−6B線に沿って切断してみた後面断面図である。
【００４７】
同図に示すように、実施例４の表示指針４１が実施例３の表示指針３１と異なる点は、実施例３では表示指針３１の両側面が平行でかつ上面31bに対し垂直となっていたのに対し、図６（ｂ）に示すように、実施例４の表示指針４１の両側面41eが上面41bに対して表示指針４１の横断面上で逆ハ字状に傾斜させられ、下方に行くにしたがって両側面41e間が狭くなるように形成されている点である。
その他の構成は実施例３と同じである。
ただし、実施例３の第１反射面31aは実施例４では第１反射面41aとし、実施例３の下面31c、入光部31c-1、拡散反射面31c-2は実施例４ではそれぞれ下面41c、入光部41c-1、拡散反射面41c-2とし、実施例３の第２反射面31dは実施例４では第２反射面41dとし、実施例３の側面31eは実施例４では側面41eとした。
【００４８】
このように構成した表示指針４１にあっては、LEDなどの光源２から上方に投射された光は、実施例１〜３と同様に、第１反射面41aで全反射されて上面41bの幅方向中央位置に形成した鏡面部分41b'とその幅方向両側端側にそれぞれ形成した第２反射面41dとで下方に向けられる。
【００４９】
この下方に向かった光は一部が直接、下面41cに形成された拡散反射面41c-2に向かい、残りが表示指針４１の両側面41eで全反射して拡散反射面41c-2の中央位置側へ集中的に向かう。この結果、第２反射面41dおよび鏡面部分41b'で下方に反射された光は、拡散反射面41c-2に集中され、ここで上方に反射、拡散されて、実施例３と同様に、上面41bの鏡面部分41b'と第２反射面41dとから表示指針４１の根元部分近くから先端部分に沿う長さ方向において全体的に均一の光となって外部へ出て行く。
【００５０】
以上の説明から分かるように、実施例４のメータの表示指針４１にあっては、第２反射面41dにて反射する光を下面41cに形成した拡散反射面41c-2の根元部分寄りの方向へ向けるので、上面41bの鏡面部分41b'と第２反射面41dから外部へ出る光は、表示指針４１の根元部分から先端部分までの長さ方向に沿って表示指針４１の上面41bを全体的に均一に光らせることとなる。
この結果、実施例４の表示指針４１の照明品質が向上する。
【００５１】
なお、この場合、実施例４では第２反射面41dの箇所で上面41bの鏡面部分41b'より弱く光るので、実施例１に比べて若干照明品質が劣化するものの、実施例１に比べてカバー３が不要となり、安価に製造することが可能となる上、表示指針４１の両側面41eの傾斜により光を拡散反射面41c-2の幅方向中央位置側に集中させることができるので、実施例１の場合に比べて表示指針４１の上面41bをより明るく発光させることができる。
【実施例５】
【００５２】
次に、実施例５のメータの表示指針について図７に基づき説明する。
図７（ａ）は、表示指針５１の断面と表示指針５１の内部での光の進路の一部を示す断面側面図であり、図７（ｂ）は、図７（ａ）の矢印7B−7B線に沿って切断してみた後面断面図である。
【００５３】
同図に示すように、実施例５の表示指針５１が実施例３の表示指針３１と異なる点は、実施例３では表示指針３１の第２反射面31dが上面31bの鏡面部分31b'と同じく水平方向となっていたのに対し、図７（ｂ）に示すように、実施例５の表示指針５１の上面5bでは水平方向（メータ・パネルと平行方向）に配置した鏡面部分51b'の両側面にそれぞれ配置した第２反射面51dがハ字状に配置されて、これらの第２反射面51dで反射された光が下面51cの幅方向中央位置あるいはこの近くに集中するようにした点である。
その他の構成は実施例３と同じである。
ただし、実施例３の第１反射面31aは実施例５では第１反射面51aとし、実施理３の下面31c、入光部31c-1、拡散反射面31c-2は実施例５ではそれぞれ下面51c、入光部51c-1、拡散反射面51c-2とし、実施例３の側面31eは実施例５では側面51eとした。
【００５４】
このように構成した表示指針５１にあっては、LEDなどの光源２から上方に投射された光は、実施例１〜３と同様に、第１反射面51aで全反射されて上面51bの幅方向中央位置に形成した鏡面部分51b'とその幅方向両側端側にそれぞれ形成した第２反射面51dとで下面51cに形成した拡散反射面51c-2へ向けられる。
【００５５】
このとき、第２反射面51dがハ字状に形成されているので、ここで反射された光は拡散反射面51c-2の幅方向中央位置に向けて集中されるとともに、拡散反射面51c-2の根元部分寄りの方向に向けられる。
したがって、第２反射面51dおよび鏡面部分51b'で下方に反射された光は、下面51cに集中され、ここで上方に反射、拡散されて、実施例３と同様に、上面51bの鏡面部分51b'と第２反射面51dとから表示指針５１の根元部分近くから先端部分に沿う長さ方向において全体的に均一の光となって外部へ出て行く。
【００５６】
以上の説明から分かるように、実施例５のメータの表示指針５１にあっては、第２反射面51dにて反射する光を根元部分側へ向け、下面51cに形成した拡散反射面51c-2で上方に乱反射させるので、上面51bの鏡面部分51b'と第２反射面51dから外部へ出る光は、表示指針５１の根元部分から先端部分までの長さ方向に沿って表示指針５１の上面51bを全体的に均一に光らせることとなる。
この結果、実施例５の表示指針５１の照明品質が向上する。
【００５７】
なお、この場合、実施例５では第２反射面51dの箇所で上面51bの鏡面部分51b'より弱く光るので、実施例１に比べて若干照明品質が劣化するものの、実施例１に比べてカバー３が不要となり、安価に製造することが可能となる上、表示指針５１の第２反射面51dのハ字状の傾斜により光を拡散反射面51c-2の幅方向中央位置側に集中させることができるので、実施例１の場合に比べて表示指針５１の上面51b、特に鏡面部分51b'をより明るく発光させることができる。
【００５８】
以上、本発明を上記各実施例に基づき説明してきたが、本発明はこれらの実施例に限られず、本発明の要旨を逸脱しない範囲で設計変更等があった場合でも、本発明に含まれる。
【００５９】
たとえば、本実施例の表示指針は車両用のスピード・メータに用いたが、これら以外のメータに用いてもよい。
また、光源としてはLEDに限られず他の装置でもよく、また配置や個数を異ならせてもよい。
また、第２反射部の凹凸の形状は、これがない上面での反射光より下面で根元部分側に寄るように反射する形状であれば、実施例のものと異なっていてもよい。
【符号の説明】
【００６０】
L      光路
N      表示指針
Na    第１反射面
Nb      上面
Nc    下面
Nd    第２反射面
P    メータ・パネル(文字盤)
１、２１、３１、４１、５１      表示指針
1a、21a、31a、41a、51a          第１反射面
1b、21b、31b、41b、51b          上面
1b'、31b'、41b'、51b'          鏡面部分
1c、21c、31c、41c、51c          下面
1c-1、21c-1、31c-1、41c-1、51c-1      入光部
1C-2、21c-2、31c-2、41c-2、51c-2      拡散反射面
1d、21d、31d、41d、51d          第２反射面
1e、21e、31e、41e、51e          側面
２      光源
３      カバー
【図１】
2013160640.tif 000003
【図２】
2013160640.tif 000004
【図３】
2013160640.tif 000005
【図４】
2013160640.tif 000006
【図５】
2013160640.tif 000007
【図６】
2013160640.tif 000008
【図７】
2013160640.tif 000009